(57)【特許請求の範囲】
【請求項１】
記録方法の設定を行う設定手段と、
所定の記録単位ごとに異なる記録方法で記録を行うとともに記録に使用した記録方法に関する情報を併せて記録することが可能な所定のフォーマットで記録が行われる記録媒体に対し、前記設定手段により設定された記録方法で記録を行う記録手段とを備えた記録装置において、
前記設定手段は、前記記録方法の設定に際し、記録の対象とされている前記記録媒体に記録されている前記記録方法に関する情報に基づき、その記録媒体の記録に最も多く使用されている記録方法と同一の記録方法に記録方法を設定するものであることを特徴とする記録装置。
【請求項２】
前記設定手段は、前記記録方法の設定により記録方法が変化した場合は、その旨を出力するものであることを特徴とする請求項１に記載の記録装置。
【請求項３】
記録方法の設定を行う設定工程と、
所定の記録単位ごとに異なる記録方法で記録を行うとともに記録に使用した記録方法に関する情報を併せて記録することが可能な所定のフォーマットで記録が行われる記録媒体に対し、前記設定工程で設定された記録方法で記録を行う記録工程とを備えた記録方法において、
前記設定工程では、前記記録方法の設定に際し、記録の対象とされている前記記録媒体に記録されている前記記録方法に関する情報に基づき、その記録媒体の記録に最も多く使用されている記録方法と同一の記録方法に記録方法を設定することを特徴とする記録方法。
【発明の詳細な説明】
【０００１】
【発明の属する技術分野】
本発明は、所定の記録単位ごとに異なる記録方法で記録を行うとともに記録に使用した記録方法に関する情報を併せて記録することが可能な所定のフォーマットで記録が行われる記録媒体に対し、設定された記録方法で記録を行う記録装置及び方法に関する。
【０００２】
【従来の技術】
従来、ミニディスク（ＭＤ）の記録装置として、記録時にステレオ又はモノラルいずれの記録方法を使用したかを電源のオフ後も記憶しておき、その後の記録に際しては、特に指示がなければ、記憶してある記録方法を使用するようにしたものが知られている。
【０００３】
また、符号化技術の進歩に伴い、新たな符号化方式が順次提案され、実用化されている。このような新たな符号化方式として、たとえばミニディスクへの記録に用いるＡＴＲＡＣ（Adaptive TRansform Acoustic Coding）３が知られている。このような新たな符号化技術を適用した結果、新たな符号化方式であるＡＴＲＡＣ３によって記録したトラックと、旧来の符号化方式であるＡＴＲＡＣによって記録したトラックとを同一のミニディスク中で混在させて記録を行うことができる記録装置も製品化されている。
【０００４】
【発明が解決しようとする課題】
しかしながら、このように複数の記録方法を同一の記録媒体で混在させて使用することができると、記録媒体に追加して記録を行う場合に、その記録媒体について以前に使用した記録方法がわからず、それと同じ記録方法に設定するのが困難な場合がある。かかる場合、上述のように装置に記録方法を記憶させることも考えられるが、そうすると装置によって記録方法が決定されてしまうため、記録媒体ごとに異なる記録方法を使用したい場合に不都合を生じる。
【０００５】
本発明の目的は、このような従来技術の問題点に鑑み、記録装置及び方法において、ユーザを煩わせることなく、適切な記録方法の設定が行われるようにすることにある。
【０００６】
【課題を解決するための手段】
この目的を達成するため、第１の発明に係る記録装置は、記録方法の設定を行う設定手段と、所定の記録単位ごとに異なる記録方法で記録を行うとともに記録に使用した記録方法に関する情報を併せて記録することが可能な所定のフォーマットで記録が行われる記録媒体に対し、前記設定手段により設定された記録方法で記録を行う記録手段とを備えた記録装置において、前記設定手段は、前記記録方法の設定を、記録の対象とされている前記記録媒体に記録されている前記記録方法に関する情報に基づいて行うものであることを特徴とする。
【０００７】
ここで、記録媒体としては、前記所定のフォーマットで記録を行うことが可能なものであれば如何なる媒体でも用いることができるが、具体的にはミニディスク（ＭＤ）、ＣＤ−Ｒ（CD-Recordable）、ＣＤ−ＲＷ（CD-ReWritable）等が該当する。異なる記録方法としては、符号化方法が異なるものや、ステレオかモノラルかで異なるもの等が該当する。異なる符号化方法としては、ミニディスクにおいて使用されているアトラック・ステレオ（ATRAC Stereo）、アトラック・モノ（ATRAC Mono）、アトラック３・２倍長・ステレオ（ATRAC3 LP2 Stereo）、アトラック３・４倍長・ステレオ（ATRAC3 LP4 Stereo）や、ＭＰ３（MPEG-1 Audio LayerIII）、ＷＭＡ（Windows Media Audio）等を挙げることができる。また、非圧縮の場合も符号化方法の１つに含まれる。所定の記録単位としては、たとえばミニディスクのオーディオフォーマットの場合におけるトラックが該当する。所定のフォーマットとしては、ミニディスク、ＣＤ−Ｒ、ＣＤ−ＲＷ等のフォーマットが該当する。記録方法に関する情報は、たとえばミニディスクの場合は、ＵＴＯＣのセクタ０（ＵＴＯＣ０）において、トラックごとにそのトラックの記録に使用した符号化方法の情報として記録される。
【０００８】
この構成において、既に一部記録が行われた記録媒体が装置に装填され、記録の対象とされると、設定手段は記録媒体に記録されている以前の記録に使用された記録方法に関する情報を読み出し、この情報に基づいて、記録方法の設定を行う。この設定ではたとえば、記録方法を、その記録媒体に対して用いた以前の記録方法と同一の記録方法に設定することができる。
【０００９】
第２の発明に係る記録装置は、第１発明において、前記フォーマットは、各記録単位の記録日時に関する情報の記録を許容するものであり、前記設定手段は、前記記録方法の設定に際しては、記録方法を、前記記録の対象とされている記録媒体に記録されている前記記録日時に関する情報に基づき、前記記録日時が最新の記録単位の記録方法と同一の記録方法に設定することを特徴とする。ここで、記録日時に関する情報は、ミニディスクの場合、ＵＴＯＣのセクタ２（ＵＴＯＣ２）においてトラックごとに記録される。
【００１０】
この構成において、設定手段は、記録方法の設定に際しては、記録対象とされている記録媒体から、既に記録がなされている各記録単位の記録方法の情報とともに記録日時に関する情報を読み出し、これに基づき、記録日時が最新の記録単位の記録方法と同一の記録方法に記録方法を設定する。
【００１１】
第３の発明に係る記録装置は、第１発明において、前記フォーマットは新たな記録単位が記録されるごとに順次インクリメントした番号をその記録単位に付与するものであり、前記設定手段は、前記記録方法の設定に際しては、記録方法を、前記記録の対象とされている記録媒体に記録されている各記録単位のうち前記番号が最大のものの記録方法と同一の記録方法に設定するものであることを特徴とする。
【００１２】
ここで、新たな記録単位が記録されるごとに順次インクリメントした番号とは、たとえばミニディスクの場合におけるトラック番号が該当する。かかる番号は、各記録単位について、移動等の編集が行われなければ、各記録単位の記録の順番をそのまま示すことになる。すなわち、この番号が最大の記録単位は、最後に記録された可能性が高い。
【００１３】
第４発明に係る記録装置は、第１発明において、前記フォーマットは新たな記録単位が記録されるごとに順次インクリメントした番号をその記録単位に付与するとともに各記録単位の記録日時に関する情報の記録を許容するものであり、前記設定手段は、前記記録方法の設定に際しては、記録方法を、前記記録の対象とされている記録媒体に記録されている各記録単位について前記記録日時の情報が記録されている場合は記録日時が最新の記録単位の記録方法と同一の記録方法に設定し、記録されていない場合は前記番号が最大の記録単位の記録方法と同一の記録方法に設定するものであることを特徴とする。
【００１４】
第５の発明に係る記録装置は、第１発明において、前記フォーマットは新たな記録単位が記録されるごとに順次インクリメントした番号をその記録単位に付与するとともに各記録単位の記録日時に関する情報の記録を許容するものであり、前記設定手段は、前記記録方法の設定に際しては、前記記録の対象とされている記録媒体に記録されている各記録単位のうちの前記番号が最大のものと、前記記録日時が最新のものとが一致しない場合は、その旨を表示し、両者のうちいずれの記録単位の記録方法を選択するかについての指示を受け入れ、選択された記録単位の記録方法と同一の記録方法に記録方法を設定するものであることを特徴とする。
【００１５】
第６の発明に係る記録装置は、第１発明において、前記フォーマットは新たな記録単位が記録されるごとに順次インクリメントした番号をその記録単位に付与するとともに各記録単位の記録日時に関する情報の記録を許容するものであり、前記設定手段は、前記記録方法の設定に際しては、前記記録の対象とされている記録媒体に記録されている各記録単位のうちの前記番号が最大のものと、前記記録日時が最新のものとが一致しない場合は、記録日時が最新の記録単位の記録方法と同一の記録方法に記録方法を設定するものであることを特徴とする。
【００１６】
第７の発明に係る記録装置は、前記設定手段は、前記記録方法の設定に際しては、前記記録の対象とされている記録媒体の記録に最も多く使用されている記録方法と同一の記録方法に記録方法を設定するものであることを特徴とする。
【００１７】
第８の発明に係る記録装置は、第１〜第７のいずれかの発明において、前記設定手段は、前記記録方法の設定により記録方法が変化した場合は、その旨を出力するものであることを特徴とする。
【００１８】
そして第９の発明に係る記録方法は、記録方法の設定を行う設定工程と、所定の記録単位ごとに異なる記録方法で記録を行うとともに記録に使用した記録方法に関する情報を併せて記録することが可能な所定のフォーマットで記録が行われる記録媒体に対し、前記設定手段により設定された記録方法で記録を行う記録工程とを備えた記録方法において、前記設定工程では、前記記録方法の設定を、記録の対象とされている前記記録媒体に記録されている前記記録方法に関する情報に基づいて行うことを特徴とする。
【００１９】
【発明の実施の形態】
図１は本発明の一実施形態に係る記録装置の構成を示すブロック図である。同図において、１は光磁気ディスクであるミニディスクに対して記録を行うための記録手段、２は記録手段１に接続された音声信号入力部、３はマイクロコンピュータ等で構成され、装置各部を制御するシステムコントローラ、４はシステムコントローラ３が備える記録モード検索設定部、５はユーザがシステムコントローラ３に対して指示を与えるための操作手段、６はシステムコントローラ３が各種情報を表示するための表示手段である。
【００２０】
システムコントローラ３は操作部５を介してユーザからの指示を受け入れ、記録手段１への記録の指示や、記録モード検索設定部４による記録モードの設定を行うとともに、その情報を表示手段６に表示させる。記録手段１はシステムコントローラ３からの記録指示に応じて、音声信号入力部２を介して入力される音声信号に基づき、ミニディスクに対する記録を行う。
【００２１】
図２はミニディスクのＵＴＯＣにおけるセクタ０のフォーマットを示す。図中のＰ−ＴＮＯｎ（ｎ＝１〜２５５）はトラック番号がｎ（ｎ＝１〜２５５）であるトラック（以下、「トラックｎ」と言う。）のスタートアドレスへのポインタであり、その値はトラックｎのスタートアドレスを与えるバイト位置を、７６×４＋（Ｐ−ＴＮＯｎ）×８によって示す。Ｐ−ＴＮＯｎで示される各バイト位置には、プログラムエリアに記録される各トラックｎの音楽情報のスタートアドレス（Start adress）、エンドアドレス（End adress）、トラック・モード（Track mode）等の情報が記録される。各トラックｎのトラック・モードの情報としては、そのトラックの記録に使用された記録モードとしての符号化方法や著作権等の情報が記録される。符号化方法の情報としては、ＡＴＲＡＣ  Ｓｔｅｒｅｏ（アトラック・ステレオ）、ＡＴＲＡＣ−Ｍｏｎｏ（アトラック・モノ）、ＡＴＲＡＣ３  ＬＰ２  Ｓｔｅｒｅｏ（アトラック３・２倍長・ステレオ）、ＡＴＲＡＣ３  ＬＰ４  Ｓｔｅｒｅｏ（アトラック３・４倍長・ステレオ）等の情報が記録される。図中のＵｓｅｄ  Ｓｅｃｔｏｒは、セクタ０〜７についての使用状況を示す情報である。ミニディスクの記録時にはこのようなセクタ構成で、ＵＴＯＣエリアのセクタ０に、各トラックｎのアドレス情報等が記録される。
【００２２】
図３はセクタ０の記述例を示す。この例では、プログラムエリアに記録されているトラック１〜３の音楽情報のスタートアドレス、エンドアドレス、トラック・モード等の情報が、それぞれバイト位置７８、８２及び８０（×４バイト）から記録されている。また、各トラック・モードの情報によれば、トラック１〜３は、それぞれＡＴＲＡＣ  Ｓｔｅｒｅｏ、ＡＴＲＡＣ３  ＬＰ４  Ｓｔｅｒｅｏ及びＡＴＲＡＣ３  ＬＰ２  Ｓｔｅｒｅｏの符号化方式を使用して記録されている。
【００２３】
図４はシステムコントローラ３の記録モード検索判定部４による記録モードの検索及び判定処理を示す。本処理は、結合子Ａ及びＢを介してメインプログラムの中に組み込まれているものとする。本処理に移行すると、ステップ４１において、ユーザにより記録媒体が装置に装填されたか否かを判定しており、装填されていない場合はそのまま本処理を抜ける。なお、ステップ４１では、記録媒体が装置に装填されたか否かを判定しているが、この代わりに、ユーザのキー操作等により記録モードの検索の指示があったか否かを判定するようにしてもよい。
【００２４】
ステップ４１において、記録媒体が装填されたことを検出すると、ステップ４２において記録日時が最新のトラック番号（ＴＮＯ）及び記録日時を記憶するための最新記録日時記憶領域をクリアし、ステップ４３においてトラック記録情報テーブル（ＵＴＯＣ）をミニディスクから読み出し、ステップ４４において変数ｉに最小トラック番号を格納する。そしてステップ４５において、ＵＴＯＣ２（ＵＴＯＣのセクタ２）において記録日時の情報が記録されているか否かを判定する。この判定は、図２のＵＴＯＣ０（ＵＴＯＣのセクタ０）において、（８×４＋３）バイトの位置に必須情報として記録されているＵｓｅｄ  ＳｅｃｔｏｒがＵＴＯＣ２が未使用である旨を示しているか否かを調べることにより行う。
【００２５】
ステップ４５において、ＵＴＯＣ２が未使用で、記録日時の情報が記録されていないと判定した場合は、ステップ５２において、トラック番号が最大のトラックの記録モードを、これからの記録に使用する記録モードとして設定し、本処理を抜ける。トラック番号が最大のトラックの記録モードは、上述したＵＴＯＣ０におけるｎが最大のポインタＰ−ＴＮＯｎ（ｎ＝１〜２５５）で示されるバイト位置から始まるトラックｎに関する情報におけるトラック・モードの情報を調べることにより得ることができる。
【００２６】
ステップ４５において、ＵＴＯＣ２が使用されており、記録日時の情報が記録されていると判定した場合は、ステップ４６において、ＵＴＯＣ２よりトラック番号ｉについての記録日時（Track rec. date and time）を読み出し、ステップ４７において、トラック番号ｉの記録日時は最新記録日時記憶領域に記憶されている記録日時よりも新しいか否かを判定する。トラック番号ｉの記録日時の方が新しくはないと判定した場合は、そのままステップ４９へ進む。トラック番号ｉの記録日時の方が新しいと判定した場合は、ステップ４８において、トラック番号ｉとその記録日時を最新記録日時記憶領域に記憶してから、ステップ４９へ進む。
【００２７】
ステップ４９へ進むと、トラック番号ｉを１だけインクリメントし、ステップ５０において、トラック番号ｉは最大のトラック番号より大きいか否かを判定する。大きくはないと判定した場合はステップ４６へ戻り、ステップ４６〜５０の処理を繰り返す。大きいと判定した場合はステップ５１において、最新記録日時記憶領域に記憶しているトラック番号の記録モードを、これからの記録に使用する記録モードとして設定し、本処理を抜ける。
【００２８】
これにより、ＵＴＯＣ０に記録されているトラック番号のうち、記録日時が最も新しいものについての記録モードが、これからの記録に使用される記録モードとして設定されることになる。たとえば、ユーザが、最後に記録したトラックがＡＴＲＡＣ  ＬＰ２  Ｓｔｅｒｅｏにより記録したトラックであるミニディスクを装置に装填し、このディスクに追加して記録を行おうとする場合には、記録モードが自動的に最後のトラックの記録モードと同じＡＴＲＡＣ  ＬＰ２  Ｓｔｅｒｅｏに設定されることになる。
【００２９】
図５はシステムコントローラ３の記録モード検索判定部４による記録モードの別の検索及び判定処理を示す。図中のステップ５１〜６０、６２及び６６の処理はそれぞれ図４のステップ４１〜５０、５１及び５２の処理と同様である。すなわち、図５の処理は、図４の処理に対し、ステップ６１及び６３〜６５を追加したものとなっている。
【００３０】
すなわち、図５の処理では、すべてのトラック番号について記録日付の比較を終了し、ステップ６０において、トラック番号ｉが最大のトラック番号より大きいと判定すると、さらにステップ６１において、最新記録日時記憶領域に記憶されているトラック番号が最大のトラック番号であるか否かを判定する。最大のトラック番号であると判定した場合は、ステップ６２において、最新記録日時記憶領域に記憶しているトラック番号の記録モードを、これからの記録に使用する記録モードとして設定し、図５の処理を抜ける。
【００３１】
ステップ６１において、最新記録日時記憶領域に記憶しているトラック番号が最大のトラック番号ではないと判定した場合は、ステップ６３において最大トラック番号と最新記録日時のトラック番号が異なる旨の表示を行う。また同時に、ユーザから、最大のトラック番号と最新記録日時のトラック番号のいずれの記録モードを選択するかの指示を得るための、図５中の表示例で示すような表示を行う。次にステップ６４において、ユーザによる記録モードの選択の指示を待ち、選択の指示を受け入れると、ステップ６５において、選択された記録モードを、これからの記録に使用する記録モードとして設定し、処理を抜ける。
【００３２】
これにより、最大のトラック番号と最新記録日時のトラック番号が異なる場合は、ユーザは、いずれのトラックに使用した記録モードをこれからの記録のために採用するかを選択することができる。
【００３３】
本実施形態によれば、ミニディスクに記録されている記録モードに基づいて記録モードの設定を行うようにしたため、記録モードを適切に設定することができる。これにより、ユーザは、記録モードの設定で煩わされることなく、適切な記録モードにより記録を行うことができる。
【００３４】
また、記録モードを、記録日時が最新のトラックの記録モードと同一の記録モードに設定するようにしたため、ミニディスクについて最後に使用された記録モードが、今回の追加記録に使用する記録モードとして設定され、ユーザは何ら記録モードの設定に煩わされることなく、最後に使用された記録モードと同じ記録モードにより記録を行うことができる。
【００３５】
また、記録日時の記録がないときは、記録モードを、トラック番号が最大のトラックの記録モードと同一の記録モードに設定するようにたため、ユーザは何ら記録方法の設定に煩わされることなく、最後に記録された可能性が高いトラックの記録モードと同じ記録モードで記録を行うことができる。
【００３６】
また、記録モードを、記録日時の情報が記録されている場合は記録日時が最新のトラックの記録モードと同一の記録モードに設定し、記録されていない場合はトラック番号が最大のトラックの記録モードと同一の記録モードに設定するようにしたため、ユーザは、記録モードの設定に煩わされることなく、最後の記録で使用された記録モード又は最後に記録された可能性が高い記録モードと同じ記録方法で記録を行うことができる。
【００３７】
また、トラック番号が最大のトラックと、記録日時が最新のトラックとが一致しない場合は、その旨を表示し、両者のうちいずれのトラックの記録モードを選択するかについての指示を受け入れ、選択されたトラックの記録モードと同一の記録モードに記録モードを設定するようにしたため、ユーザは、二者択一の選択指示を行うだけで、記録モードの設定に煩わされることなく、最後の記録で使用された記録モード又は最後に記録された可能性が高いトラックの記録モードのうちの所望のものと同じ記録モードで記録を行うことができる。
【００３８】
なお、本発明は上述の実施形態に限定されることなく適宜変形して実施することができる。たとえば、上述の図４及び図５の実施形態では、ステップ４５又は５５において記録日時情報の記録がないと判定した場合のみトラック番号が最大のトラックで用いられている符号化方法が選択されるようにしているが、この代わりに、記録日時情報の有無にかかわらず、トラック番号が最大のトラックで用いられている符号化方法を選択するようにしてもよい。
【００３９】
また、上述の図５の実施形態では、記録日時が最新のトラックと、トラック番号が最大のトラックとが一致しない場合には、いずれの記録モードを採用するかをユーザに選択させるようにしているが、この代わりに、記録日時が最新のトラックと、トラック番号が最大のトラックとが一致しない場合には、記録日時が最新のトラックの記録モードを採用するようにしてもよい。これによれば、ユーザは記録モードの設定に煩わされることなく、常に、最後の記録で使用された記録モードと同じ記録モードで記録を行うことができる。
【００４０】
また、上述においては、記録日時が最新のトラック又はトラック番号が最大のトラックの記録モードを抽出し、それと同一の記録モードに設定するようにしているが、この代わりに、各トラックの記録に最も多く使用されている記録モードを抽出し、それと同一の記録モードに設定するようにしてもよい。これによれば、ユーザは、各トラックの記録に複数の記録モードが用いられている場合でも、記録モードの設定に煩わされることなく、各トラックの記録において最も頻繁に使用されている記録モードと同じ記録モードで記録を行うことができる。
【００４１】
また、上述においては、記録モードの設定により、記録モードが変化した場合でも、特にユーザに知らせる措置を講じていないが、この代わりに、記録モードが変化した場合には、その旨を表示し、ユーザに知らせるようにしてもよい。これによれば、ユーザは、記録モードが変更された場合はその旨を知ることができるため、意図しない記録モードで記録がなされようとしている場合は、その事実を知り、記録を停止し、所望の記録モードに設定を変更する等の措置を講ずることができる。
【００４２】
【発明の効果】
以上説明したように本発明によれば、記録方法の設定を、記録の対象とされている記録媒体に記録されている記録方法に関する情報に基づいて行うようにしたため、ユーザは、記録方法の設定で煩わされることなく、適切な記録方法により記録を行うことができるようになる。
【００４３】
また、記録方法を、記録の対象とされている記録媒体に記録されている記録日時に関する情報に基づき、記録日時が最新の記録単位の記録方法と同一の記録方法に設定するようにしたため、ユーザは何ら記録方法の設定に煩わされることなく、最後に使用された記録方法と同じ記録方法により記録を行うことができる。
【００４４】
また、記録方法を、記録の対象とされている記録媒体に記録されている各記録単位のうち番号が最大のものの記録方法と同一の記録方法に設定するようにしたため、ユーザは何ら記録方法の設定に煩わされることなく、最後に記録した可能性の高いトラックの記録に使用された記録方法と同じ記録方法により記録を行うことができる。
【００４５】
また、記録方法を、記録の対象とされている記録媒体に記録されている各記録単位についての記録日時の情報が記録されている場合は記録日時が最新の記録単位の記録方法と同一の記録方法に設定し、記録されていない場合は番号が最大の記録単位の記録方法と同一の記録方法に設定するようにしたため、ユーザは、記録方法の設定に煩わされることなく、最後の記録で使用された記録方法又は最後に記録された可能性の高い記録単位の記録方法と同じ記録方法で記録を行うことができる。
【００４６】
また、記録の対象とされている記録媒体に記録されている各記録単位のうちの番号が最大のものと、記録日時が最新のものとが一致しない場合は、その旨を表示し、いずれの記録単位の記録方法を選択するかについての指示を受け入れ、選択された記録単位の記録方法と同一の記録方法に記録方法を設定するようにしたため、ユーザは、二者択一の選択指示を行うだけで、記録方法の設定に煩わされることなく、最後の記録で使用された記録方法又は番号が最大の記録単位の記録方法のうちの所望のものと同じ記録方法で記録を行うことができる。
【００４７】
また、記録の対象とされている記録媒体に記録されている各記録単位のうちの番号が最大のものと、記録日時が最新のものとが一致しない場合は、記録日時が最新の記録単位の記録方法と同一の記録方法に記録方法を設定するようにしたため、ユーザは、記録方法の設定に煩わされることなく、常に、最後の記録で使用された記録方法で記録を行うことができる。
【００４８】
また、記録の対象とされている記録媒体の記録に最も多く使用されている記録方法と同一の記録方法に記録方法を設定するようにしたため、ユーザは、記録媒体の各記録単位の記録に複数の記録方法が用いられている場合でも、記録方法の設定に煩わされることなく、記録媒体の各記録単位の記録において最も頻繁に使用されている記録方法と同じ記録方法で記録を行うことができる。
【００４９】
そして、記録方法の設定により記録方法が変化した場合は、その旨を出力するようにしたため、ユーザは、使用する記録方法を確認し、意図しない記録方法で記録がなされようとしている場合は所望の記録方法に設定を変更する等の措置を講ずることができる。
【図面の簡単な説明】
【図１】本発明の一実施形態に係る記録装置の構成を示すブロック図である。
【図２】ミニディスクのＵＴＯＣにおけるセクタ０のフォーマットを示す図である。
【図３】ＵＴＯＣのセクタ０の記述例を示す図である。
【図４】図１の装置におけるシステムコントローラの記録モード検索判定部による記録モードの検索及び判定処理を示すフローチャートである。
【図５】図１の装置におけるシステムコントローラの記録モード検索判定部による別の記録モードの検索及び判定処理を示すフローチャートである。
【符号の説明】
１：記録手段、２：音声信号入力部、３：システムコントローラ、４：記録モード検索設定部、５：操作手段、６：表示手段。
【図１】
0003776734.tif 000002
【図２】
0003776734.tif 000003
【図３】
0003776734.tif 000004
【図４】
0003776734.tif 000005
【図５】
0003776734.tif 000006